(57)【要約】      （修正有）【課題】監視回路の肥大化、および回路構成の設計自由度の低下を抑制しつつ、隣接するセルを同時に放電可能な電池監視装置を提供する。【解決手段】各電池セル１０の接続端子Ｐに接続された複数の接続ラインのうち、隣り合う奇数ラインＬ２ｍ−１、Ｌ２ｍ＋１、Ｌ２ｍ＋３および偶数ラインＬ２ｍ、Ｌ２ｍ＋２の一方の接続ラインに、フィルタ用抵抗Ｒｆを設けると共に、フィルタ用抵抗Ｒｆと電池セル１０の接続端子との間に分岐ラインＬｄｉｖを接続する。また、各分岐ラインＬｄｉｖに、均等化スイッチ２２１にて対応する電池セル１０を放電させた際に流れる電流を制限する電流制限用抵抗Ｒｂを設ける。そして、均等化スイッチ２２１を、フィルタ用抵抗Ｒｆが設けられていない他方の接続ラインと分岐ラインＬｄｉｖとの間に接続する。【選択図】図１
2014090536.tif 000002
【特許請求の範囲】
【請求項１】
複数の電池セル（１０）を直列接続して構成される組電池（１）に適用される電池監視装置であって、
前記複数の電池セルの接続端子を電位順に数えたときに、奇数番目となる接続端子に接続された複数の奇数ラインと、
前記複数の電池セルの接続端子を電位順に数えたときに、偶数番目となる接続端子に接続された複数の偶数ラインと、
前記奇数ライン、および前記偶数ラインのうち、一方の接続ラインに設けられたフィルタ用抵抗（Ｒｆ）を含んで構成されるフィルタ回路（２１）と、
前記一方の接続ラインにおける前記フィルタ用抵抗と前記電池セルの接続端子との間から分岐した複数の分岐ライン（Ｌｄｉｖ）と、
前記複数の電池セルそれぞれに対応して設けられた複数の均等化スイッチ（２２１）を含んで構成される監視回路（２２）と、を備え、
前記均等化スイッチは、隣り合う前記奇数ラインおよび前記偶数ラインのうち、前記フィルタ用抵抗が設けられていない他方の接続ラインと前記分岐ラインとの間に接続され、前記他方の接続ラインと前記分岐ラインとを短絡させて、対応する前記電池セルを放電させるスイッチであり、
前記複数の分岐ラインそれぞれには、前記均等化スイッチにて対応する前記電池セルを放電させた際に流れる電流を制限する電流制限用抵抗（Ｒｂ）が設けられていることを特徴とする電池監視装置。
【請求項２】
前記監視回路は、前記複数の奇数ラインおよび前記複数の偶数ラインそれぞれに接続され、前記複数の奇数ラインおよび前記複数の偶数ラインのうち、少なくとも２つのライン間の電位差から前記電池セルのセル電圧を検出する電圧検出部（２２３）を備えることを特徴とする請求項１に記載の電池監視装置。
【請求項３】
前記フィルタ回路は、前記フィルタ用抵抗、および隣り合う前記奇数ラインおよび前記偶数ラインの間に接続されたコンデンサ（Ｃｆ）からなるＲＣ回路で構成されていることを特徴とする請求項１または２に記載の電池監視装置。
【発明の詳細な説明】
【技術分野】
【０００１】
本発明は、複数の電池セルを直列接続して構成される組電池に適用される電池監視装置に関する。
【背景技術】
【０００２】
従来、組電池では、各電池セルの充放電を繰り返すと、セルの個体差や環境温度等の影響により各電池セルの電圧にばらつきが生ずることがある。このような電圧のばらつきが生ずると、組電池の実際に使用可能な電力容量が大きく減少してしまう。
【０００３】
このため、フィルタ用の抵抗器が設けられた配線を介して各電池セルに接続された監視回路に、各電池セルの両端子を短絡させて放電するための均等化スイッチおよび抵抗器を有する均等化回路を設け、電圧の高い電池セルから均等化スイッチを介して抵抗器に電流を流して放電させることで、各電池セルのセル電圧のバラツキ（セルバランス）を均等化する電池監視装置が知られている（例えば、非特許文献１参照）。
【０００４】
この非特許文献１には、ドレイン分離型、放電経路分離型、およびドレイン−ソース分離型といった特徴の異なる３種の回路構成が開示されている。
【先行技術文献】
【非特許文献】
【０００５】
【非特許文献１】「コスト半減を狙うＬｉイオン電池監視ＩＣ」、日経Automotive Technology、２０１２年７月、p.100-103
【発明の概要】
【発明が解決しようとする課題】
【０００６】
非特許文献１に記載されたドレイン分離型は、図５に示すように、フィルタ用の抵抗器Ｒｆが設けられた配線に均等化スイッチＳＷを接続する回路構成（以下、Ａ型回路と称する。）とすることで、回路構成の簡素化を図ることができる。
【０００７】
しかし、Ａ型回路では、均等化スイッチＳＷをオンした際に、図５の矢印で示すように、フィルタ用の抵抗器Ｒｆに放電電流が流れることから、フィルタ用の抵抗器Ｒｆの抵抗値を任意に設定できず、回路構成の設計自由度が大きく制限されるといった課題がある。
【０００８】
このような課題は、Ａ型回路に限らず、図６に示すフィルタ用の抵抗器Ｒｆが設けられた配線に均等化スイッチＳＷを接続する回路構成（以下、Ｂ型回路と称する。）にも生ずる。
【０００９】
これに対して、非特許文献１に記載された放電経路分離型は、図７に示すように、フィルタ用の抵抗器Ｒｆを設ける配線から分岐させた配線に、均等化用の抵抗器Ｒｂおよび均等化スイッチＳＷを接続し、均等化スイッチＳＷをオンした際にフィルタ用の抵抗器Ｒｆに放電電流が流れない回路構成（以下、Ｃ型回路と称する。）となっている。
【００１０】
このＣ型回路では、例えば、隣接する電池セルを同時に放電させる際の放電電流は、２つの放電用の抵抗器Ｒｂを介して流れ（図７中の実線参照）、単一の電池セルを放電させる際の放電電流も、２つの放電用の抵抗器Ｒｂを介して流れる（図７中の破線参照）。
【００１１】
このため、Ｃ型回路は、回路構成の設計自由度が高いものの、隣接する電池セルを同時に放電させる際の放電電流が、単一の電池セルを放電させる際の放電電流に比べて数倍に増大してしまう。この結果、隣接する電池セルそれぞれを放電させる場合、放電するタイミングをずらす必要があり、セル電圧の均等化に長時間を要するといった課題がある。
【００１２】
また、非特許文献１に記載されたドレイン−ソース分離型は、図８に示すように、放電用の抵抗器Ｒｂおよび均等化スイッチＳＷを接続する配線、およびフィルタ用の抵抗器Ｒｆが設けられた配線を完全に分離させた回路構成（以下、Ｄ型回路と称する。）となっている。このＤ型回路によれば、隣接する電池セルを同時に放電可能であり、回路構成の設計自由度も高くなるが、監視回路に接続する配線数、および監視回路側に設ける端子数が増加して、監視回路が肥大化してしまうといった課題がある。
【００１３】
本発明は上記点に鑑みて、監視回路の肥大化、および回路構成の設計自由度の低下を抑制しつつ、隣接するセルを同時に放電可能な電池監視装置を提供することを目的とする。
【課題を解決するための手段】
【００１４】
本発明は、複数の電池セル（１０）を直列接続して構成される組電池（１）に適用される電池監視装置を対象としている。
【００１５】
上記目的を達成するため、請求項１に記載の発明では、複数の電池セルの接続端子を電位順に数えたときに、奇数番目となる接続端子に接続された複数の奇数ラインと、複数の電池セルの接続端子を電位順に数えたときに、偶数番目となる接続端子に接続された複数の偶数ラインと、奇数ライン、および偶数ラインのうち、一方の接続ラインに設けられたフィルタ用抵抗（Ｒｆ）を含んで構成されるフィルタ回路（２１）と、一方の接続ラインにおけるフィルタ用抵抗と電池セルの接続端子との間から分岐した複数の分岐ライン（Ｌｄｉｖ）と、複数の電池セルそれぞれに対応して設けられた複数の均等化スイッチ（２２１）を含んで構成される監視回路（２２）と、を備え、均等化スイッチは、隣り合う奇数ラインおよび偶数ラインのうち、フィルタ用抵抗が設けられていない他方の接続ラインと分岐ラインとの間に接続され、他方の接続ラインと分岐ラインとを短絡させて、対応する電池セルを放電させるスイッチであり、複数の分岐ラインそれぞれには、均等化スイッチにて対応する電池セルを放電させた際に流れる電流を制限する電流制限用抵抗（Ｒｂ）が設けられていることを特徴としている。
【００１６】
このように、均等化スイッチが分岐ラインとフィルタ用抵抗が設けられていない接続ラインとの間を短絡させる回路構成とすれば、均等化スイッチにて電池セルを放電させた際の放電電流がフィルタ用抵抗に流れないので、フィルタ用抵抗の抵抗値を任意に設定することができる。
【００１７】
また、均等化スイッチにて隣接する電池セルそれぞれを放電させた際の放電電流は、２つの分岐ライン（２つの電流制限用抵抗）を介して流れ、均等化スイッチにて単一の電池セルを放電させた際の放電電流は、１つの分岐ライン（１つの電流制限用抵抗）を介して流れる。このため、均等化スイッチにて隣接する電池セルそれぞれを放電させた際の放電電流は、均等化スイッチにて単一の電池セルを放電させた場合の際の放電電流と同様となり、隣接する電池セル同士を同時に均等化することが可能となる。
【００１８】
さらに、単一の電池セル当り、奇数ライン、偶数ライン、および分岐ラインといった３つの配線が監視回路に接続される回路構成となるので、均等化スイッチを接続する配線およびフィルタ用抵抗を設ける配線を完全に分離させる回路構成に比べて、監視回路に接続する配線数や監視回路側に設ける端子数を少なくすることができる。
【００１９】
従って、本願の請求項１に記載の発明によれば、監視回路を肥大化、および回路構成の設計自由度の低下を抑制しつつ、隣接する電池セルを同時に放電させることが可能となる。
【００２０】
なお、この欄および特許請求の範囲で記載した各手段の括弧内の符号は、後述する実施形態に記載の具体的手段との対応関係の一例を示すものである。
【図面の簡単な説明】
【００２１】
【図１】実施形態に係る電池監視装置の全体構成図である。
【図２】単一の電池セルの放電時における放電電流の流れを示す回路図である。
【図３】隣接する電池セルの放電時における放電電流の流れを示す回路図である。
【図４】実施形態に係る電池監視装置の特徴を説明するための説明図である。
【図５】従来のＡ型回路の回路構成図である。
【図６】従来のＢ型回路の回路構成図である。
【図７】従来のＣ型回路の回路構成図である。
【図８】従来のＤ型回路の回路構成図である。
【発明を実施するための形態】
【００２２】
本発明の一実施形態について図面を用いて説明する。本実施形態では、ハイブリッド自動車や電気自動車に搭載される組電池１に、本発明の電池監視装置２を適用している。
【００２３】
組電池１は、図示しない走行用電動モータを主として、車載された各種電気負荷に給電する電源である。本実施形態の組電池１は、図１の全体構成図に示すように、リチウムイオン電池等の二次電池からなる電池セル１０を複数直列に接続した直列接続体として構成されている。なお、説明の便宜のため、図１では、組電池１を構成する複数の電池セル１０のうち、代表的な４つの電池セルＢＣｉ〜ＢＣｉ＋３（ｉは、正の整数）を図示している。
【００２４】
電池監視装置２は、組電池１の状態を監視する装置であり、各電池セル１０の接続端子（電池セル１０同士を接続する端子）Ｐに接続された接続ラインＬ、フィルタ回路２１、監視回路２２、図示しない制御装置等で構成されている。
【００２５】
接続ラインＬは、各電池セル１０の接続端子Ｐと監視回路２２に設けられた端子Ｃとを接続する配線である。本実施形態の接続ラインＬは、各電池セルＢＣｉ〜ＢＣｉ＋３の接続端子を電位順（本実施形態では電位の低い順）に数えたときに、奇数番目となる接続端子Ｐ２ｍ−１、Ｐ２ｍ＋１、Ｐ２ｍ＋３（ｍは、正の整数）に接続された奇数ラインＬ２ｍ−１、Ｌ２ｍ＋１、Ｌ２ｍ＋３、および偶数番目となる接続端子Ｐ２ｍ、Ｐ２ｍ＋２、Ｐ２ｍ＋４に接続された偶数ラインＬ２ｍ、Ｌ２ｍ＋２、Ｌ２ｍ＋４で構成されている。
【００２６】
各奇数ラインＬ２ｍ−１、Ｌ２ｍ＋１、Ｌ２ｍ＋３、および各偶数ラインＬ２ｍ、Ｌ２ｍ＋２、Ｌ２ｍ＋４は、監視回路２２に設けられた端子Ｃ２ｍ−１〜Ｃ２ｍ＋４を介して監視回路２２に内蔵された電圧検出部２２３が接続されている。
【００２７】
奇数ラインＬ２ｍ−１、Ｌ２ｍ＋１、Ｌ２ｍ＋３および偶数ラインＬ２ｍ、Ｌ２ｍ＋２、Ｌ２ｍ＋４のうち、一方の接続ラインには、フィルタ回路２１を構成するフィルタ用抵抗Ｒｆが設けられると共に、フィルタ用抵抗Ｒｆと接続端子Ｐ２ｍ、Ｐ２ｍ＋２、Ｐ２ｍ＋４との間から分岐した一対の分岐ラインＬｄｉｖが接続されている。
【００２８】
本実施形態の各奇数ラインＬ２ｍ−１、Ｌ２ｍ＋１、Ｌ２ｍ＋３には、フィルタ用抵抗Ｒｆが設けられると共に、フィルタ用抵抗Ｒｆと接続端子Ｐ２ｍ、Ｐ２ｍ＋２、Ｐ２ｍ＋４との間に、一対の分岐ラインＬｄｉｖが接続されている。なお、本実施形態の各偶数ラインＬ２ｍ、Ｌ２ｍ＋２、Ｌ２ｍ＋４それぞれには、フィルタ用抵抗Ｒｆは設けられていない。
【００２９】
各分岐ラインＬｄｉｖそれぞれには、電流を制限する電流制限用抵抗Ｒｂが設けられている。電流制限用抵抗Ｒｂは、それぞれ同じ抵抗値となる抵抗器が採用されている。なお、各分岐ラインＬｄｉｖは、監視回路２２に設けられた分岐用端子Ｃｄｉｖを介して監視回路２２に内蔵された均等化スイッチ２２１が接続されており、後述する均等化スイッチ２２１をオンした際、分岐ラインＬｄｉｖを流れる放電電流が電流制限用抵抗Ｒｂにより制限される。
【００３０】
フィルタ回路２１は、電圧検出時のノイズを除去する回路である。本実施形態のフィルタ回路２１は、奇数ラインＬ２ｍ−１、Ｌ２ｍ＋１、Ｌ２ｍ＋３に設けられたフィルタ用抵抗Ｒｆ、および隣り合う奇数ラインＬ２ｍ−１、Ｌ２ｍ＋１、Ｌ２ｍ＋３および偶数ラインＬ２ｍ、Ｌ２ｍ＋２、Ｌ２ｍ＋４間に接続されたコンデンサＣｆからなるＲＣ回路で構成されている。
【００３１】
監視回路２２は、各電池セル１０の電圧を検出すると共に、電池セル１０を放電させることでの各電池セル１０のセル電圧のばらつきを均等化する回路であり、各接続ラインＬを接続する端子Ｃ、各分岐ラインを接続する分岐用端子Ｃｄｉｖを有する。
【００３２】
本実施形態の監視回路２２は、各電池セルＢＣｉ〜ＢＣｉ＋３に対応して設けられて各電池セル１０を放電させる均等化スイッチ２２１（ＳＷｉ〜ＳＷｉ＋３）、各均等化スイッチ２２１のオンオフを切り替えるスイッチ切替回路２２２、各電池セル１０の電圧を検出する電圧検出部２２３で構成されている。
【００３３】
均等化スイッチ２２１は、各電池セルＢＣｉ〜ＢＣｉ＋３のうち、高電圧となる電池セルの両端子を短絡させ、高電圧となる電池セル１０を放電することで、各電池セルＢＣｉ〜ＢＣｉ＋３のセル電圧のばらつきを均等化する均等化手段として機能する。
【００３４】
本実施形態の均等化スイッチ２２１は、対応する電池セル１０の接続端子Ｐに接続された偶数ラインＬ２ｍ、Ｌ２ｍ＋２、Ｌ２ｍ＋４と、奇数ラインＬ２ｍ−１、Ｌ２ｍ＋１、Ｌ２ｍ＋３から分岐した分岐ラインＬｄｉｖとの間に接続されている。なお、本実施形態では、均等化スイッチ２２１を半導体スイッチであるＭＯＳＦＥＴで構成している。
【００３５】
スイッチ切替回路２２２は、各均等化スイッチ２２１のオンオフを切り替えるスイッチ切替手段であり、制御装置からの出力信号に応じて、所定の電池セル１０に対応する均等化スイッチ２２１をオンする。
【００３６】
電圧検出部２２３は、各奇数ラインＬ２ｍ−１、Ｌ２ｍ＋１、Ｌ２ｍ＋３および各偶数ラインＬ２ｍ、Ｌ２ｍ＋２、Ｌ２ｍ＋４それぞれに接続され、各ラインＬ２ｍ−１〜Ｌ２ｍ＋４のうち、少なくとも２つのライン間の電位差から電池セルＢＣｉ〜ＢＣｉ＋３のセル電圧（端子間電圧）を検出する。
【００３７】
本実施形態の電圧検出部２２３は、電位差を検出して制御装置に出力する検出部、および各ラインＬ２ｍ−１〜Ｌ２ｍ＋４のうち少なくとも２つのラインを選択して検出部に接続するマルチプレクサで構成されている。このマルチプレクサは、電圧検出対象となる電池セル１０を切り替える切替手段として機能するもので、制御装置からの出力信号に応じて制御される。
【００３８】
制御装置は、ＣＰＵ、記憶手段を構成する各種メモリからなるマイクロコンピュータ、およびその周辺機器で構成され、記憶手段に記憶された制御プログラムに従って各種処理を実行するように構成されている。
【００３９】
本実施形態の制御装置は、電圧検出部２２３にて各電池セル１０のセル電圧を検出する電圧検出処理、および各電池セル１０のセル電圧のばらつきを均等化する均等化処理を実行する。
【００４０】
次に、本実施形態の電池監視装置２の作動について説明する。まず、本実施形態の制御装置が実行する電圧検出処理について説明する。
【００４１】
電圧検出処理では、制御装置が各電池セル１０のセル電圧の検出を指示する制御信号を監視回路２２に入力することで、監視回路２２の電圧検出部２２３が各電池セル１０のセル電圧を検出する。
【００４２】
例えば、電池セルＢＣｉのセル電圧を検出する際には、マルチプレクサが電池セルＢＣｉの接続端子Ｐ２ｍ−１、Ｐ２ｍに接続された奇数ラインＬ２ｍ−１および偶数ラインＬ２ｍを検出部に接続する。そして、検出部が奇数ラインＬ２ｍ−１および偶数ラインＬ２ｍ間の電位差を電池セルＢＣｉのセル電圧として検出する。
【００４３】
また、隣接する電池セルＢＣｉ、ＢＣｉ＋１のセル電圧の合計電圧を検出する際には、マルチプレクサが電池セルＢＣｉの接続端子Ｐ２ｍ−１に接続された奇数ラインＬ２ｍ−１、電池セルＢＣｉ＋１のＰ２ｍ＋２に接続された奇数ラインＬ２ｍ＋１を検出部に接続する。そして、検出部が奇数ラインＬ２ｍ−１および奇数ラインＬ２ｍ＋１間の電位差を電池セルＢＣｉ、ＢＣｉ＋１のセル電圧の合計電圧として検出する。
【００４４】
続いて、本実施形態の制御装置が実行する均等化処理について説明する。均等化検出処理は、制御装置が各電池セル１０のうち、放電対象となる電池セル１０を決定し、当該電池セル１０の放電を指示する制御信号を監視回路２２に入力することで、監視回路２２のスイッチ切替回路２２２が、放電対象となる電池セル１０に対応する均等化スイッチ２２１をオンに切り替える。
【００４５】
例えば、電池セルＢＣｉが放電対象となる場合、スイッチ切替回路２２２が、電池セルＢＣｉに対応する均等化スイッチＳＷｉをオンに切り替える。これにより、電池セルＢＣｉの接続端子Ｐ２ｍに接続された偶数ラインＬ２ｍと、電池セルＢＣｉの接続端子Ｐ２ｍ−１に接続された奇数ラインＬ２ｍ−１から分岐した分岐ラインＬｄｉｖとが短絡し、図２の矢印で示すように、偶数ラインＬ２ｍ→均等化スイッチＳＷｉ→分岐ラインＬｄｉｖ（電流制限用抵抗Ｒｂ）→奇数ラインＬ２ｍ−１に流れて、電池セルＢＣｉが放電する。
【００４６】
この際、放電電流は、奇数ラインＬ２ｍ−１に設けられたフィルタ用抵抗Ｒｆに流れることなく、分岐ラインＬｄｉｖに設けられた電流制限用抵抗Ｒｂに流れる。このため、フィルタ用抵抗Ｒｆの設定が均等化処理時に影響しないので、フィルタ用抵抗Ｒｆの設定を任意に設定することができる。
【００４７】
ここで、電池セルＢＣｉ以外の他の電池セルＢＣｉ＋１〜ＢＣｉ＋３が放電対象となる場合、スイッチ切替回路２２２が、電池セルＢＣｉ＋１〜ＢＣｉ＋３に対応する均等化スイッチＳＷｉ＋１〜ＳＷｉ＋３をオンに切り替えることで、電池セルＢＣｉ＋１〜ＢＣｉ＋３を放電させることができる。この際、いずれの電池セルＢＣｉ＋１〜ＢＣｉ＋３を放電させる場合であっても、放電電流は、フィルタ用抵抗Ｒｆに流れないので、フィルタ用抵抗Ｒｆの設定が均等化処理時に影響しない。
【００４８】
なお、単一の電池セル１０を放電させる際の放電電流は、電池セルＢＣｉの電圧と分岐ラインＬｄｉｖに設けられた電流制限用抵抗Ｒｂの抵抗値により決まる。
【００４９】
また、例えば、隣接する電池セルＢＣｉ、ＢＣｉ＋１それぞれが放電対象となり、各電池セルＢＣｉ、ＢＣｉ＋１を同時に放電させる場合、スイッチ切替回路２２２が、各電池セルＢＣｉ、ＢＣｉ＋１に対応する均等化スイッチＳＷｉ、ＳＷｉ＋１をオンに切り替える。
【００５０】
これにより、電池セルＢＣｉの接続端子Ｐ２ｍに接続された偶数ラインＬ２ｍと、電池セルＢＣｉの接続端子Ｐ２ｍ−１に接続された奇数ラインＬ２ｍ−１から分岐した分岐ラインＬｄｉｖとが短絡する。また、電池セルＢＣｉ＋１の接続端子Ｐ２ｍに接続された偶数ラインＬ２ｍと、電池セルＢＣｉ＋１の接続端子Ｐ２ｍ＋１に接続された奇数ラインＬ２ｍ＋１から分岐した分岐ラインＬｄｉｖとが短絡する。
【００５１】
この場合、図３の矢印で示すように、奇数ラインＬ２ｍ＋１→分岐ラインＬｄｉｖ（電流制限用抵抗Ｒｂ）→均等化スイッチＳＷｉ＋１→均等化スイッチＳＷｉ→分岐ラインＬｄｉｖ（電流制限用抵抗Ｒｂ）→奇数ラインＬ２ｍ−１に流れて、各電池セルＢＣｉ、ＢＣｉ＋１が放電する。
【００５２】
この際の放電電流は、各電池セルＢＣｉ、ＢＣｉ＋１の電圧の合計値、各分岐ラインＬｄｉｖに設けられた電流制限用抵抗Ｒｂの抵抗値の合計値により決まる。つまり、隣接する電池セルＢＣｉ、ＢＣｉ＋１それぞれを放電させる際の放電電流は、２つの電池セルＢＣｉ、ＢＣｉ＋１および２つの電流制限用抵抗Ｒｂから決まることとなるので、単一の電池セル１０を放電させる際の放電電流と同様となる。このことは、隣接する他の電池セル同士を同時に放電させる場合について同じである。
【００５３】
次に、本実施形態の電池監視装置２の特徴について説明する。本実施形態の電池監視装置２によれば、図４に示すように、図５に示すＡ型回路、図６に示すＢ型回路、図７に示すＣ型回路、図８に示すＤ型回路といった従来の回路構成で課題となっていた事項を解消することができる。
【００５４】
具体的には、本実施形態では、各奇数ラインＬ２ｍ−１、Ｌ２ｍ＋１、Ｌ２ｍ＋３から分岐した分岐ラインＬｄｉｖと、フィルタ用抵抗Ｒｆが設けられていない偶数ラインＬ２ｍ−１〜Ｌ２ｍ＋４との間に均等化スイッチ２２１を接続する構成としている。
【００５５】
これによれば、均等化スイッチ２２１にて、所定の電池セル１０を放電させた際の放電電流が、フィルタ用抵抗Ｒｆに流れず、フィルタ用抵抗Ｒｆの設定が均等化処理時に影響しないので、フィルタ用抵抗Ｒｆを任意に設定することができ、回路構成の設計自由度を確保することができる。
【００５６】
また、均等化スイッチ２２１にて、所定の電池セル１０を放電させた際の放電電流が、フィルタ用抵抗Ｒｆに流れないので、放電電流による電圧降下が電圧検出に影響しない。このため、電圧検出時に均等化処理を実行したとしても、正確に各電池セル１０のセル電圧を検出することができ、電圧検出処理と均等化処理とを同時に実行可能となる。
【００５７】
また、本実施形態の回路構成では、均等化スイッチ２２１にて隣接する電池セル１０それぞれを放電させた際の放電電流が、２つの分岐ラインＬｄｉｖ（２つの電流制限用抵抗Ｒｂ）を介して流れ、均等化スイッチ２２１にて単一の電池セル１０を放電させた際の放電電流が、１つの分岐ライン（１つの電流制限用抵抗Ｒｂ）を介して流れる。
【００５８】
このため、均等化スイッチ２２１にて隣接する電池セル１０それぞれを放電させた際の放電電流が、均等化スイッチ２２１にて単一の電池セル１０を放電させた場合の際の放電電流と同様となり、隣接する電池セル１０同士を同時に均等化（同時放電）することが可能となる。この結果、均等化処理に要する時間の短縮化を図ることができる。
【００５９】
さらに、本実施形態では、電流制限用抵抗Ｒｂが設けられていない偶数ラインＬ２ｍ−１〜Ｌ２ｍ＋４が均等化用、および電圧検出用の共用配線として機能する回路構成となる。このため、単一の電池セル１０あたり、接続ラインＬ（奇数ラインおよび偶数ライン）と分岐ラインＬｄｉｖといった３つの配線を、監視回路２２に接続するといった簡素な回路構成となり、従来のＤ型回路の如く、均等化スイッチＳＷを接続する配線およびフィルタ用抵抗Ｒｆを設ける配線を完全に分離させる回路構成に比べて、監視回路２２に接続する配線数や監視回路２２側に設ける端子数を少なくすることができる。
【００６０】
従って、本実施形態の構成によれば、監視回路２２を肥大化、回路構成の設計自由度の低下を抑制して、隣接する電池セル１０を同時に放電させることが可能となる。
【００６１】
（他の実施形態）
以上、本発明の実施形態について説明したが、本発明は上述の実施形態に限定されるものではなく、特許請求の範囲に記載した範囲内において適宜変更が可能である。例えば、以下のように種々変形可能である。
【００６２】
（１）上述の実施形態では、各電池セル１０の接続端子Ｐを電位の低い順に数えた際に、奇数番目となる接続端子Ｐに接続された接続ラインＬを奇数ラインＬ２ｍ−１、Ｌ２ｍ＋１、Ｌ２ｍ＋３とし、偶数番目となる接続端子Ｐに接続された接続ラインＬを偶数ラインＬ２ｍ、Ｌ２ｍ＋２、Ｌ２ｍ＋４とする例について説明したが、これに限定されない。例えば、各電池セル１０の接続端子Ｐを電位の高い順に数えた際に、奇数番目となる接続端子Ｐに接続された接続ラインＬを奇数ラインＬ２ｍ−１、Ｌ２ｍ＋１、Ｌ２ｍ＋３とし、偶数番目となる接続端子Ｐに接続された接続ラインＬを偶数ラインＬ２ｍ、Ｌ２ｍ＋２、Ｌ２ｍ＋４としてもよい。
【００６３】
（２）上述の実施形態では、各奇数ラインＬ２ｍ−１、Ｌ２ｍ＋１、Ｌ２ｍ＋３に対してフィルタ用抵抗Ｒｆを設け、さらに、分岐ラインＬｄｉｖを接続する例について説明したが、これに限定されない。例えば、偶数ラインＬ２ｍ、Ｌ２ｍ＋２、Ｌ２ｍ＋４に対してフィルタ用抵抗Ｒｆを設け、さらに、分岐ラインＬｄｉｖを接続するようにしてもよい。この場合、電流制限用抵抗Ｒｂが設けられていない奇数ラインＬ２ｍ−１、Ｌ２ｍ＋１、Ｌ２ｍ＋３が均等化用、および電圧検出用の共用配線として機能する。
【００６４】
（３）上述の実施形態では、フィルタ回路２１をフィルタ用抵抗ＲｆおよびコンデンサＣｆからなるＲＣ回路で構成する例について説明したが、これに限定されず、フィルタ用抵抗Ｒｆを用い、且つ、電圧検出処理および均等化処理に悪影響を及ぼさないフィルタ回路２１であれば、適宜採用することができる。
【００６５】
（４）上述の実施形態では、均等化スイッチ２２１をＭＯＳＦＥＴで構成した例について説明したが、これに限定されず、均等化スイッチ２２１を他の半導体スイッチで構成してもよい。
【００６６】
（５）上述の実施形態では、監視回路２２に均等化スイッチ２２１のオンオフを切り替えるスイッチ切替回路２２２を設ける例について説明したが、これに限らず、スイッチ切替回路２２２を監視回路２２の外部に設ける構成としてもよい。
【００６７】
（６）上述の実施形態では、電圧検出部２２３を検出部およびマルチプレクサで構成する例について説明したが、これに限定されない。例えば、各電池セル１０に対応して複数の検出部を設け、各検出部により電圧検出部２２３を構成するようにしてもよい。
【００６８】
（７）上述の実施形態では、監視回路２２に電圧検出部２２３を設ける例について説明したが、これに限らず、電圧検出部２２３を監視回路２２の外部に設ける構成としてもよい。
【００６９】
（８）上述の実施形態では、電池監視装置２をハイブリッド自動車や電気自動車に搭載される組電池１に適用する例を説明したが、車載された組電池１に限らず、据置型の組電池１等に適用してもよい。
【００７０】
（９）上述の実施形態において、実施形態を構成する要素は、特に必須であると明示した場合および原理的に明らかに必須であると考えられる場合等を除き、必ずしも必須のものではないことは言うまでもない。
【００７１】
（１０）上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【符号の説明】
【００７２】
１        組電池
１０      電池セル
２２      監視回路
２２１    均等化スイッチ
２２３    電圧検出部
Ｌ        接続ライン
Ｌｄｉｖ  分岐ライン
Ｒｆ      フィルタ用抵抗
Ｒｂ      電流制限用抵抗
【図１】
2014090536.tif 000003
【図２】
2014090536.tif 000004
【図３】
2014090536.tif 000005
【図４】
2014090536.tif 000006
【図５】
2014090536.tif 000007
【図６】
2014090536.tif 000008
【図７】
2014090536.tif 000009
【図８】
2014090536.tif 000010